(57)【要約】      （修正有）【課題】操作性が良好で、ショッピングモールなどの大型施設の広大な床面積を清掃する場合の労力を軽減することができ、耐久性及び安全性の向上を図ることが可能なＶ字型モップを提供する。【解決手段】一対のモップ体を開閉させるＶ字型モップ１において、第１及び第２モップヘッド１０Ａ、１０Ｂを略Ｖ字型に開閉可能に連結するクロスリンク機構３０を備え、クロスリンク機構３０が、互いに交差した状態の第１及び第２リンク３１、３２を有し、第１リンク３１の一端部を第１モップヘッド１０Ａの一端部１０ａにおける長手方向一側に軸支し、第１リンク３１の他端部を第２モップヘッド１０Ｂの一端部１０ｃにおける長手方向他側に軸支し、第２リンク３２の一端部を第２モップヘッド１０Ｂの一端部１０ｃにおける長手方向一側に軸支し、第２リンク３２の他端部を第１モップヘッド１０Ａの一端部１０ａにおける長手方向他側に軸支する構成としてある。【選択図】図１
2012034911.tif 000002
【特許請求の範囲】
【請求項１】
一対のモップ体を開閉させて床清掃するＶ字型モップにおいて、
前方に向かって略Ｖ字型に開閉するように連結された一対の板状体であり、前記モップ体がそれぞれ装着される第１及び第２モップヘッドと、
互いに交差した状態で連結された一対の棒状体であり、その一端部が前記第１又は第２モップヘッドに回動自在に取り付けられ、その他端部がモップ使用者の把持部となる第１及び第２ハンドル棒と、
前記第１及び第２モップヘッドを略Ｖ字型に開閉可能に連結する板状のリンク機構であり、互いに交差した状態の第１及び第２リンクを有し、前記第１リンクの一端部を前記第１モップヘッドの一端部における長手方向一側に軸支し、前記第１リンクの他端部を前記第２モップヘッドの一端部における長手方向他側に軸支し、前記第２リンクの一端部を前記第２モップヘッドの一端部における長手方向一側に軸支し、前記第２リンクの他端部を前記第１モップヘッドの一端部における長手方向他側に軸支した４軸支点のクロスリンク機構と、
を備えたことを特徴とするＶ字型モップ。
【請求項２】
前記第１及び第２リンクが金属製の板状体からなり、前記第１又は第２リンクの一方に、他方との干渉を回避するための凸状折曲部を形成した請求項１記載のＶ字型モップ。
【請求項３】
前記第１及び第２リンクの長さと軸支位置とを調整し、前記第１及び第２モップヘッドを閉じた状態としたときに、これら第１及び第２モップヘッドの間に、長手方向に延びる所定の間隔が確保されるようにした請求項１又は２記載のＶ字型モップ。
【請求項４】
前記第１及び第２リンクの長さと軸支位置とを調整し、前記第１及び第２モップヘッドを開いた状態にしたときの角度範囲にわたって、これら第１及び第２モップヘッドの各一端部の間に所定範囲の間隔が確保されるようにし、これら第１及び第２モップヘッドに装着された前記モップ体の各一端部を常に重複させるようにした請求項１〜３のいずれか１項に記載したＶ字型モップ。
【請求項５】
前記第１及び第２ハンドル棒が、前記第１及び第２モップヘッドの後方へ下方から上方に向かって傾斜する角度をそれぞれ有するとともに、前記把持部が、これら第１及び第２ハンドル棒から上方に向かって傾斜又は直立する角度をそれぞれ有する請求項１〜４のいずれか１項に記載したＶ字型モップ。
【請求項６】
前記第１及び第２モップヘッドの少なくとも各他端部に、弾性変形可能な板状のブレードをそれぞれ取り付けた請求項１〜５のいずれか１項に記載したＶ字型モップ。
【発明の詳細な説明】
【技術分野】
【０００１】
本発明は、一対のモップ体を開閉させることで床清掃するときのモップ幅を変えることができるＶ字型モップに関し、特に、操作性が良好で、ショッピングモールなどの大型施設の広大な床面積を清掃する場合の労力を軽減することができ、耐久性及び安全性の向上を図ることが可能なＶ字型モップに関する。
【背景技術】
【０００２】
従来のＶ字型モップとしては、例えば、特許文献１〜４に記載されているようなものがある。特許文献１には、その第１図〜第３図に示されているように、長尺板１、１を前方に向かって略Ｖ字型に連結するとともに、これら長尺板１、１に、後方に向かって傾斜するハンドル棒４、４を回動自在に連結した床ふき具が開示されている。
【０００３】
特許文献２には、その第１図に示されているように、モップケース２、２’を前方に向かって逆Ｖ字型に連結するとともに、これらモップケース２、２’に真っ直ぐな押杆１，１’を回動自在に連結した組合せモップが開示されている。
【０００４】
特許文献３には、その第１図〜第３図に示されているように、長尺板７及びハンドル棒５からなる第１のモップと、長尺板７’及びハンドル棒５’からなる第２のモップとを、互いに解除可能に連結させた集塵モップが開示されている。これと同様に、特許文献４には、その図４に示されているように、一対の部分ヘッド１０Ａ及び１０Ｂを、互いに解除自在な連結具２０で連結した掃除具が開示されている。
【先行技術文献】
【特許文献】
【０００５】
【特許文献１】実開昭５０−１３６９５８号公報
【特許文献２】実開昭５１−１３０６６３号公報
【特許文献３】実開昭６３−１５３９５７号公報
【特許文献４】特開２０００−３００４９０号公報
【発明の概要】
【発明が解決しようとする課題】
【０００６】
ところが、上述した特許文献１〜４のＶ字型モップは、いずれも一対のモップヘッド（長尺板、モップケース又は部分ヘッド）を、１軸支点のヒンジ金具ないし連結具によって連結していたので、各モップヘッドがそれぞれ自由に回動してしまい、清掃時及び開閉時において両モップヘッドのコントロールが困難であるという問題があった。また、１軸支点のヒンジ金具（連結具）は、清掃時及び開閉時の負荷が単一の回転軸に集中し、耐久性が低いという問題もあった。
【０００７】
特に、ショッピングモールなどの大型施設では、１日に数万平方メートルの広大な総面積を清掃するので、操作性の悪さはモップ使用者を疲労させるとともに、短期間でヒンジ金具が破損してしまう。このため、Ｖ字型モップは、本来、広狭幅の異なる床や通路が混在する大型施設の清掃に適しているにもかかわらず、現実には利用されていなかった。
【０００８】
本発明は、上記問題点に鑑みてなされたものであり、操作性が良好で、ショッピングモールなどの大型施設の広大な床面積を清掃する場合の労力を軽減することができ、耐久性及び安全性の向上を図ることが可能なＶ字型モップの提供を目的とする。
【課題を解決するための手段】
【０００９】
上記目的を達成するために、本発明のＶ字型モップは、一対のモップ体を開閉させて床清掃するＶ字型モップにおいて、前方に向かって略Ｖ字型に開閉するように連結された一対の板状体であり、前記モップ体がそれぞれ装着される第１及び第２モップヘッドと、互いに交差した状態で連結された一対の棒状体であり、その一端部が前記第１又は第２モップヘッドに回動自在に取り付けられ、その他端部がモップ使用者の把持部となる第１及び第２ハンドル棒と、前記第１及び第２モップヘッドを略Ｖ字型に開閉可能に連結する板状のリンク機構であり、互いに交差した状態の第１及び第２リンクを有し、前記第１リンクの一端部を前記第１モップヘッドの一端部における長手方向一側に軸支し、前記第１リンクの他端部を前記第２モップヘッドの一端部における長手方向他側に軸支し、前記第２リンクの一端部を前記第２モップヘッドの一端部における長手方向一側に軸支し、前記第２リンクの他端部を前記第１モップヘッドの一端部における長手方向他側に軸支した４軸支点のクロスリンク機構と、を備えた構成としてある。
【００１０】
上記構成によれば、第１及び第２リンクからなるクロスリンク機構で、第１及び第２モップヘッドを互いに連結したことにより、第１及び第２モップヘッドの一方の回動が他方に伝達され、常に、第１及び第２モップヘッドが同じ角度で開閉するようになる。これにより、清掃時及び開閉時における第１及び第２モップヘッドの挙動が安定し、第１及び第２ハンドル棒によるコントロールが極めて容易になる。
【００１１】
また、クロスリンク機構は、４軸支点で第１及び第２モップヘッドを開閉動作させるので、清掃時及び開閉時の負荷が４つの回転軸に分散され、従来の１軸支点のヒンジ金具と比較して耐久性が大幅に向上する。
【００１２】
このような作用効果を奏する本発明のＶ字型モップは、ショッピングモールなどの大型施設の清掃に好適であり、広大な床面積を清掃する場合のモップ使用者の労力を軽減することができ、長年の使用に耐え得る業務用モップとして使用することが可能である。
【００１３】
好ましくは、上述した本発明のＶ字型モップにおいて、前記第１及び第２リンクが金属製の板状体からなり、前記第１又は第２リンクの一方に、他方との干渉を回避するための凸状折曲部を形成した構成とする。
【００１４】
本発明のＶ字型モップにおいて、クロスリンク機構を構成する第１及び第２リンクは、耐久性の高い金属製とすることが好ましい。但し、第１及び第２リンクの材料は金属に限定されるものではなく、第１及び第２リンクを比較的耐久性の高い合成樹脂製として、Ｖ字型モップの軽量化を図ってもよい。また、第１又は第２リンクどうしの接触摺動は、摩耗による耐久性の低下をまねき、操作性をも低下させるので、第１又は第２リンクの一方に、他方との干渉を回避するための凸状折曲部を形成することが好ましい。
【００１５】
好ましくは、上述した本発明のＶ字型モップにおいて、前記第１及び第２リンクの長さと軸支位置とを調整し、前記第１及び第２モップヘッドを閉じた状態としたときに、これら第１及び第２モップヘッドの間に、長手方向に延びる所定の間隔が確保されるようにした構成とする。
【００１６】
上記構成によれば、閉じた状態の第１及び第２モップヘッドの間に間隔を確保することで、より幅の広いモップ体を第１及び第２モップヘッドに装着することが可能となり、広大な床面積を清掃する業務用モップに好適となる。
【００１７】
好ましくは、上述した本発明のＶ字型モップにおいて、前記第１及び第２リンクの長さと軸支位置とを調整し、前記第１及び第２モップヘッドを開いた状態にしたときの角度範囲にわたって、これら第１及び第２モップヘッドの各一端部の間に所定範囲の間隔が確保されるようにし、これら第１及び第２モップヘッドに装着された前記モップ体の各一端部を常に重複させるようにした構成とする。
【００１８】
上記構成によれば、第１及び第２モップヘッドを開いた状態にしたときの角度範囲にわたって、モップ体の各一端部が常に重複するので、第１及び第２モップヘッドをどの角度でＶ字型に開いた場合でも、一対のモップ体で漏れなく床清掃することができ、また、本Ｖ字型モップをドライモップとして使用した場合に、モップ体どうしの間からゴミや塵埃の漏洩を防止することが可能である。
【００１９】
好ましくは、上述した本発明のＶ字型モップにおいて、前記第１及び第２ハンドル棒が、前記第１及び第２モップヘッドの後方へ下方から上方に向かって傾斜する角度をそれぞれ有するとともに、前記把持部が、これら第１及び第２ハンドル棒から上方に向かって傾斜又は直立する角度をそれぞれ有する構成とする。
【００２０】
上記構成によれば、第１及び第２ハンドル棒の各把持部を上方に向かって傾斜又は直立させたことで、モップ使用者が各把持部を握ったときの腕の曲げ角を少なくすることができ、従来よりも体に近い位置で無理なく各把持部を握ることができる（図８参照）。これにより、モップ使用者は、自然な腕の状態で楽に清掃することが可能となる。このような各把持部の握りやすさと、上述したクロスリンク機構によるコントロールの容易性とが相俟って、本発明のＶ字型モップの操作性は極めて良好なものとなり、ショッピングモールなどの大型施設の広大な床面積を清掃する場合に、モップ使用者の労力を大幅に軽減することが可能となる。
【００２１】
また、各把持部の端面がモップ使用者の体に向かないので、清掃時にモップ体が障害物等に衝突した場合でも、各把持部の端面がモップ使用者の体を突くことがなく、Ｖ字型モップの安全性の向上を図ることができる。
【００２２】
以上の作用効果について従来技術との比較で説明すると、特許文献１及び３のＶ字型モップでは、いずれも一対のハンドル棒の各把持部が、モップ体の進行方向を基準にして後方に延びており、ハンドル棒に対して把持部をほぼ水平に曲げた構成となっていた。このような従来の構成では、腕を曲げて手を体の手前に出して水平の各把持部を握ることとなり、腕を大きく曲げて手を体の前に出すほど、モップ使用者に経時的に与えられる疲労も大きくなる。これに対し、本発明のＶ字型モップでは、各把持部を上方に向かって傾斜又は直立させているので、腕を少し曲げ、体に近い位置で各把持部を無理なく握ることができる。好ましくは、腕を下げた状態にして腰の両側で各把持部を握ると、自然な腕の状態で楽に清掃することができる。
【００２３】
また、特許文献１及び３のＶ字型モップでは、水平の各把持部の端面が、モップ使用者の体に向いていたので、清掃時にモップ体が障害物等に衝突した場合は、各把持部の端面がモップ使用者の体を突いてしまうことがあった。これに対し、本発明のＶ字型モップでは、各把持部の端面が上方を向いているので、清掃時にモップ体が障害物等に衝突した場合でも、各把持部の端面がモップ使用者の体を突くことがない。特に、各把持部を腰の両側で握った場合には、衝突時に各把持部が体に当たることもなく、安全性が高い。
【００２４】
好ましくは、上述した本発明のＶ字型モップにおいて、前記第１及び第２モップヘッドの少なくとも各他端部に、弾性変形可能な板状のブレードをそれぞれ取り付けた構成としてある。
【００２５】
上記構成によれば、第１及び第２モップヘッドの連結していない自由端である各他端部に、弾性変形可能な板状のブレードをそれぞれ取り付けたことで、清掃中に第１及び第２モップヘッドの自由端が障害物に衝突した場合でも、柔らかいブレードが弾性変形して障害物の損傷を防止することができる。また、営業中の店舗を清掃する場合などに、弾性変形可能な柔らかいブレードが人に触れてしまったとしても、怪我をさせる心配はない。さらに、ブレードは、例えば、パイルを設けた袋状のモップ体を第１及び第２モップヘッドに被着するときに弾性変形し、被着作業を容易にする。これに加え、ブレードは、第１及び第２モップヘッドに被着したモップ体の端部を押さえる役割も果たす。
【発明の効果】
【００２６】
以上のように、本発明のＶ字型モップによれば、操作性が良好で、ショッピングモールなどの大型施設の広大な床面積を清掃する場合のモップ使用者の労力を軽減することができ、耐久性及び安全性の向上を図ることが可能となる。
【図面の簡単な説明】
【００２７】
【図１】本発明の一実施形態に係るＶ字型モップを示す斜視図である。
【図２】上記Ｖ字型モップの正面図である。
【図３】上記Ｖ字型モップの平面図である。
【図４】上記Ｖ字型モップの背面図である。
【図５】上記Ｖ字型モップの左側面図である。
【図６】上記Ｖ字型モップの右側面図である。
【図７】上記Ｖ字型モップの底面図である。
【図８】上記Ｖ字型モップの使用状態図である。
【図９】閉じた状態のクロスリンク機構を示す平面図である。
【図１０】開いた状態のクロスリンク機構を示す平面図である。
【図１１】閉じた状態のモップ体を示す底面図である。
【図１２】開いた状態のモップ体を示す底面図である。
【発明を実施するための形態】
【００２８】
以下、本発明のＶ字型モップの一実施形態について図面を参照しつつ説明する。本実施形態のＶ字型モップの外観を図１〜図７に示す。これらの図面において、Ｖ字型モップ１は、主として、第１及び第２モップヘッド１０Ａ、１０Ｂと、一対のブレード２０、２０と、クロスリンク機構３０と、一対の自在継手４０、４０と、第１及び第２ハンドル棒５０Ａ、５０Ｂと、一対のモップ体７０、７０（図８を参照）とからなっている。
【００２９】
＜第１及び第２モップヘッド＞
第１及び第２モップヘッド１０Ａ、１０Ｂは、長手方向に延びる矩形の金属板であり、清掃時には、図８に示すモップ体７０、７０がそれぞれ装着される。第１モップヘッド１０Ａの一端部１０ａと、第２モップヘッド１０Ｂの一端部１０ｂとは、互いにクロスリンク機構３０によって連結されており、４つの回転軸３３、３４、３５、３６を中心にして略Ｖ字型に開閉可能となっている。
【００３０】
なお、本実施形態では、第１及び第２モップヘッド１０Ａ、１０Ｂを金属製としたが、これら第１及び第２モップヘッド１０Ａ、１０Ｂを、十分な耐久性を有する合成樹脂製とすれば、Ｖ字型モップ１の大幅な軽量化を図ることができる。
【００３１】
＜ブレード＞
一方、第１及び第２モップヘッド１０Ａ、１０Ｂの連結されていない自由端である各他端部１０ｂ、１０ｄには、一対のブレード２０、２０がそれぞれ取り付けてある。各ブレード２０は、円弧状の端部外形を有する板状体であり、弾性変形可能なプラスチック、合成又は天然のゴム、エラストマーによって形成してある。例えば、本実施形態のブレード２０は、軟質のポリプロピレン（ＰＰ）によって形成してある。
【００３２】
このようなブレード２０、２０は、第１及び第２モップヘッド１０Ａ、１０Ｂの各他端部１０ｂ、１０ｄから柔軟な円弧状端部を突出させ、障害物に衝突したときに弾性変形して衝撃を吸収する。また、各ブレード２０が障害物や人に触れてしまった場合でも、これらを損傷させることはない。さらに、各ブレード２０は、例えば、パイルを設けた袋状のモップ体７０、７０を第１及び第２モップヘッド１０Ａ、１０Ｂに被着するときに弾性変形し、被着作業を容易にする。これに加え、各ブレード２０は、第１及び第２モップヘッド１０Ａ、１０Ｂに被着した各モップ体７０の端部を押さえる役割も果たす。
【００３３】
＜クロスリンク機構＞
図９及び図１０に示すように、クロスリンク機構３０は、互いに交差した状態の第１及び第２リンク３１、３２と、４つの回転軸３３、３４、３５、３６とで構成してある。なお、本実施形態では、これら部材３１〜３６を全て金属製としたが、十分な耐久性を有する合成樹脂製として、Ｖ字型モップ１の軽量化を図ってもよい。
【００３４】
第１リンク３１は、第２リンク３２との干渉を回避するために、その一端部３１ａを湾曲させた鉤形となっており、鉤形の一端部３１ａから他端部３１ｂまでの間を略凸形に折り曲げて凸状折曲部３１ｃを形成した構成となっている。一方、第２リンク３２は、一端部３２ａから他端部３２ｂまでが真っ直ぐに延びた形状となっている。
【００３５】
図９に示すように、第１リンク３１の一端部３１ａは、回転軸３３を介して、第１モップヘッド１０Ａの一端部１０ａにおける長手方向後側に軸支してある。また、第１リンク３１の他端部３１ｂは、回転軸３４を介して、第２モップヘッド１０Ｂの一端部１０ｃにおける長手方向前側に軸支してある。
【００３６】
一方、第２リンク３２は、凸状折曲部３１ｃの下を通って第１リンク３１と交差した状態となっている。第２リンク３２の一端部３２ａは、回転軸３５を介して、第２モップヘッド１０Ｂの一端部１０ｃにおける長手方向後側に軸支してある。また、第２リンク３２の他端部３２ｂは、回転軸３６を介して、第１モップヘッド１０Ａの一端部１０ａにおける長手方向後側に軸支してある。
【００３７】
このような構成からなる４軸支点のクロスリンク機構３０によれば、図９及び図１０に示すように、第１及び第２モップヘッド１０Ａ、１０Ｂの一方の回動が他方に伝達され、常に、第１及び第２モップヘッド１０Ａ、１０Ｂが同じ角度で開閉するようになる。これにより、清掃時及び開閉時における第１及び第２モップヘッド１０Ａ、１０Ｂの挙動が安定し、第１及び第２ハンドル棒５０Ａ、５０Ｂによるコントロールが極めて容易になる。
【００３８】
また、クロスリンク機構３０は、４軸支点で第１及び第２モップヘッド１０Ａ、１０Ｂを開閉動作させるので、清掃時及び開閉時の負荷が４つの回転軸３３、３４、３５、３６にそれぞれ分散され、従来の１軸支点のヒンジ金具と比較して耐久性が大幅に向上する。
【００３９】
＜＜第１及び第２モップヘッドの間隔について＞＞
ここで、本実施形態におけるクロスリンク機構３０では、第１及び第２リンク３１、３２の長さと軸支位置とを調整し、図９及び図１０に示す第１及び第２モップヘッド１０Ａ、１０Ｂの間に所定の間隔１１、１２が共に確保されるようにしてある。
【００４０】
まず、図９に示すように、第１及び第２モップヘッド１０Ａ、１０Ｂを閉じた状態としたときに、これら第１及び第２モップヘッド１０Ａ、１０Ｂの間に、長手方向に延びる所定の間隔１１が確保される。この間隔１１を確保することで、より幅の広いモップ体７０、７０を第１及び第２モップヘッド１０Ａ、１０Ｂに装着することが可能となり、本Ｖ字型モップ１で広大な床面積を清掃する場合に有効である。
【００４１】
次いで、図１０に示すように、第１及び第２モップヘッド１０Ａ、１０Ｂを閉じた状態から開いた状態にしたときの角度範囲にわたって、これら第１及び第２モップヘッド１０Ａ、１０Ｂの各一端部１０ａ、１０ｃの間に、所定の範囲の間隔１１から間隔１２が確保されるようにし、第１及び第２モップヘッド１０Ａ、１０Ｂを開いた状態にしたときの角度範囲にわたって、これら第１及び第２モップヘッド１０Ａ、１０Ｂに装着されたモップ体７０、７０の各一端部７０ａ、７０ａを常に重複させるようにしてある（図１１及び図１２を参照）。
【００４２】
図９に示す間隔１１は、第１及び第２モップヘッド１０Ａ、１０Ｂを全閉状態にしたときの各一端部１０ａ、１０ｃの最大幅であり、この状態でモップ体７０、７０の各一端部７０ａ、７０ａが互いに重複する必要はない。一方、図１０に示す間隔１２は、第１及び第２モップヘッド１０Ａ、１０Ｂを全開状態にしたときの各一端部１０ａ、１０ｃの最小幅であり、全閉状態を超えて全開状態に至るまでの間、常に、モップ体７０、７０の各一端部７０ａ、７０ａが互いに重複するように、間隔１１又は１２の幅を設定している。
【００４３】
これにより、第１及び第２モップヘッド１０Ａ、１０Ｂをどの角度でＶ字型に開いた場合でも、一対のモップ体７０、７０で漏れなく床清掃することができ、また、本Ｖ字型モップ１をドライモップとして使用した場合に、モップ体７０、７０どうしの間からゴミや塵埃の漏洩を防止することが可能である。
【００４４】
＜自在継手＞
図１、図５及び図６に示すように、第１及び第２モップヘッド１０Ａ、１０Ｂの上面における中心からやや一端側にシフトした位置には、一対の自在継手４０、４０が取り付けてある。各自在継手４０は、短軸の上端に球体を連成したボール軸４１と、断面Ｕ字形のボール軸受４２とからなっている。このボール軸受４２には、ボール軸４１の前記短軸が挿通されるＵ字溝４２ａが形成してあり、ボール軸受４２は、前記短軸を中心とする水平方向の回動と、Ｕ字溝４２ａに沿った傾動とが可能となっている。
【００４５】
＜第１及び第２ハンドル棒＞
同じく図１、図５及び図６に示すように、各自在継手４０のボール軸受４２には、回転軸４３、４３を介して、第１及び第２ハンドル棒５０Ａ、５０Ｂの各一端部がそれぞれ回動自在に取り付けてある。
【００４６】
本実施形態における第１及び第２ハンドル棒５０Ａ、５０Ｂは、金属製パイプの一端側を、第１曲折部５１のところで図中下向きに約１３０°程度に折り曲げるとともに、金属製パイプの他端側を、第２曲折部５２のところで図中上向きに約１５０°程度に折り曲げた構成となっている。これにより、第１及び第２ハンドル棒５０Ａ、５０Ｂは、一端側が自在継手４０から垂直に立ち上がり、中央が第１及び第２モップヘッド１０Ａ、１０Ｂの後方へ下方から上方に向かって傾斜し、他端側である把持部６０、６０が上方に向かって傾斜した形状を呈する。
【００４７】
各把持部６０は、第１及び第２ハンドル棒５０Ａ、５０Ｂの上方に向かって傾斜する他端側に、滑り止めのグリップカバー６１を装着するとともに、金属製パイプの他端開口をエンドキャップ６２で塞いだ構成となっている。
【００４８】
このような第１及び第２ハンドル棒５０Ａ、５０Ｂの中央は、回転軸５３によって、互いに交差した状態で連結してあり、各把持部６０を開くと、第１及び第２ハンドル棒５０Ａ、５０Ｂが開いた状態となり、各把持部６０を閉じると、第１及び第２ハンドル棒５０Ａ、５０Ｂが閉じた状態となる。これにより、モップ体７０、７０の幅を変えて、広狭幅の異なる床や通路の清掃を行うことができる。
【００４９】
ここで、本実施形態では、第１及び第２ハンドル棒５０Ａ、５０Ｂの各把持部６０を、上方に向かって傾斜させたことで、モップ使用者が各把持部６０を握ったときの腕の曲げ角を少なくすることができ、従来よりも体に近い位置で無理なく各把持部６０を握ることができる（図８を参照）。
【００５０】
これにより、モップ使用者は、自然な腕の状態で楽に清掃することが可能となる。このような各把持部６０の握りやすさと、上述したクロスリンク機構３０によるコントロールの容易性とが相俟って、本実施形態のＶ字型モップ１の操作性は極めて良好なものとなり、ショッピングモールなどの大型施設の広大な床面積を清掃する場合に、モップ使用者の労力を大幅に軽減することが可能となる。
【００５１】
また、各把持部６０の端面（図１のエンドキャップ６２を参照）がモップ使用者の体に向かないので、清掃時にモップ体７０が障害物等に衝突した場合でも、各把持部６０の端面がモップ使用者の体を突くことがなく、Ｖ字型モップ１の安全性の向上を図ることができる。
【００５２】
なお、本実施形態では、各把持部６０を上方に向かって傾斜（第１及び第２ハンドル棒５０Ａ、５０Ｂを基準に約１５０°程度）させたが、これに限らず、各把持部６０を上方に向かって直立（第１及び第２モップヘッド１０Ａ、１０Ｂを基準に９０°）させてもよい。
【００５３】
＜作用効果＞
以上のように、本実施形態に係るＶ字型モップ１によれば、操作性が良好で、ショッピングモールなどの大型施設の広大な床面積を清掃する場合のモップ使用者の労力を軽減することができ、耐久性及び安全性の向上を図ることが可能となる。
【００５４】
＜その他＞
本発明のＶ字型モップは、上述した実施形態に限定されるものではない。例えば、本発明のＶ字型モップを構成する第１及び第２モップヘッド、ブレード、クロスリンク機構、自在継手、第１及び第２ハンドル棒の形状や材料は図面のものに限定されず、種々の態様に変更することが可能である。
【００５５】
例えば、自在継手は、第１及び第２モップヘッドと第１及び第２ハンドル棒との接合角度を自由に変えられるものであれば、その構成は特に限定されない。また、本実施形態では、第１及び第２モップヘッドの各他端部表面に各ブレードを取り付けた構成としたが、これに限らず、各他端部裏面に各ブレードを取り付けた構成としてもよい。さらに、モップ体は、図示したようなパイル状のドライモップに限定されるものではなく、布、不織布、スポンジなど、本発明の出願前から知られているあらゆる種類のモップ体を適用することが可能である。
【符号の説明】
【００５６】
１  Ｖ字型モップ
１０Ａ  第１モップヘッド
１０ａ  一端部
１０ｂ  他端部
１０Ｂ  第２モップヘッド
１０ｃ  一端部
１０ｄ  他端部
１１、１２  間隔
２０  ブレード
３０  クロスリンク機構
３１  第１リンク
３１ａ  一端部
３１ｂ  他端部
３１ｃ  凸状折曲部
３２  第２リンク
３２ａ  一端部
３２ｂ  他端部
３３〜３６  回転軸
４０  自在継手
４１  ボール軸
４２  ボール軸受
４２ａ  Ｕ字溝
４３  回転軸
５０Ａ  第１ハンドル棒
５０Ｂ  第２ハンドル棒
５１  第１折曲部
５２  第２折曲部
５３  回転軸
６０  把持部
６１  グリップカバー
６２  エンドキャップ
７０  モップ体
７０ａ  一端部
【図１】
2012034911.tif 000003
【図２】
2012034911.tif 000004
【図３】
2012034911.tif 000005
【図４】
2012034911.tif 000006
【図５】
2012034911.tif 000007
【図６】
2012034911.tif 000008
【図７】
2012034911.tif 000009
【図８】
2012034911.tif 000010
【図９】
2012034911.tif 000011
【図１０】
2012034911.tif 000012
【図１１】
2012034911.tif 000013
【図１２】
2012034911.tif 000014